(57)【特許請求の範囲】
【請求項１】
薬剤タンクと薬剤タンクの上に重ねられた貯水タンクとを有する薬剤吐出容器であって、貯水タンクには、貯水タンクの中に水を入れるための注入口と、貯水タンク内に貯水された水を外部に排出するための排水口が設けられ、薬剤タンクの頂部には、貯水タンクの貯水量に応じた押圧力により変形して薬剤タンク内の圧力を変化させ、それにより薬剤を薬剤吐出口から吐出させるか、もしくは薬剤タンク内に空気を導入させる弾性部が設けられ、薬剤タンクの底部にはキャップにより開閉自在な薬剤補充用口部が設けられ、キャップに薬剤吐出口が設けられている薬剤吐出容器。
【請求項２】
貯水タンクの注入口の内口径が貯水タンクの底部内口径よりも大きい請求項１記載の薬剤吐出容器。
【請求項３】
薬剤吐出口が薬剤タンクのキャップの底部で下方に突出するように設けられ、薬剤吐出容器を平面上に載置した場合に薬剤吐出口が該平面につかないように、足が設けられている請求項１又は２に記載の薬剤吐出容器。
【発明の詳細な説明】
【０００１】
【発明の属する技術分野】
本発明は、水洗トイレの手洗い付きロータンクの手洗い部に設置し、手洗い部の上方のカランから給水される水に薬剤（芳香剤、洗浄剤、殺菌剤等）を混合するために適した薬剤吐出容器に関する。
【０００２】
【従来の技術】
従来の水洗トイレ用の芳香洗浄液滴下容器としては、実公平６−３４４５７号公報に記載されたものが知られている。この芳香洗浄液滴下容器では、カランから注水される水が、芳香洗浄液と水を混合する混合ケースに導かれ、混合ケース内の水位の上昇に応じてフロート弁が押し上げられて芳香洗浄液のボトルの放出孔が開き、それと同時に加圧された混合ケース内の空気がボトル内に送り込まれ、次いでカランからの注水が止まるとフロート弁が下がり、ボトル内から芳香洗浄液が混合ケースに吐出される。そして再度カランから注水が始まると、混合ケースで水と混合された芳香洗浄液が混合ケースの排水口から手洗い部に排水される。
【０００３】
【発明が解決しようとする課題】
しかしながら、実公平６−３４４５７号公報に記載された芳香洗浄液滴下容器の場合、構造的に複雑であり、製造コストが高いという問題がある。更に、芳香洗浄液が固化し易いためにフロート弁が詰まりやすいという問題がある。また、ボトル内の芳香洗浄液と混合ケース内の空気との置換が水圧等の変動により円滑に進まない場合が多く、芳香洗浄液の吐出量が一定しないという問題がある。
【０００４】
これに対し、本発明は、製造コストのかからない比較的単純な機構で、安定的に薬剤を定量吐出でき、また、洗浄液を容易に補充することのできる薬剤吐出容器を提供することを目的とする。
【０００５】
【課題を解決するための手段】
上述の目的を達成するため、本発明は、貯水タンクと薬剤タンクとを有する薬剤吐出容器であって、
貯水タンクには、貯水タンクの中に水を入れるための注入口と、貯水タンク内に貯水された水を外部に排出するための排水口が設けられており、
薬剤タンクには、薬剤を吐出するための薬剤吐出口と、貯水タンクの貯水量に応じた押圧力により変形して薬剤タンク内の圧力を変化させ、それにより薬剤を薬剤吐出口から吐出させるか、もしくは薬剤タンク内に空気を導入させる弾性部と、開閉自在な薬剤補充用口部とが設けられている薬剤吐出容器を提供する。
【０００６】
【発明の実施の形態】
以下、図面を参照しつつ、本発明を詳細に説明する。なお、各図中、同一符号は同一または同等の構成要素を表している。
【０００７】
図２は、本発明の一態様の薬剤吐出容器１００の斜視図、図１は、薬剤吐出容器１００の作用を説明する断面図、図３は、薬剤吐出容器１００の構成部品の斜視図である。
【０００８】
図示したように、この薬剤吐出容器１００は、トイレ用芳香洗浄液等の薬剤Ａを入れておく薬剤タンク２と、薬剤タンク２の上に重ねられた貯水タンク１から構成されている。
【０００９】
貯水タンク１の頂部には注入口３が設けられ、薬剤吐出容器１００を水洗トイレの手洗い付きロータンクの手洗い部２０に載置した場合に、カランから給水された水Ｗが図１（ａ）の矢印のように貯水タンク１の中に入るようにしている。
また、貯水タンク１の底部には、貯水タンク１内に貯水された水Ｗを外部に排出するための排水口４が設けられている。この排水口４は常時開口状態となっている。排水口４の大きさや個数は、注入口３から貯水タンク１に入ってくる水が排水口４から排水され続けても、なお、貯水タンク１に水が貯まっていくように、適宜定める。
【００１０】
一方、薬剤タンク２には、その頂部に、貯水タンク１の貯水量に応じた押圧力により変形する、ドーム状のゴム部材からなる弾性部６が設けられており、底部には薬剤補充用口部１０が設けられている。弾性部６の変形により薬剤タンク２内の圧力が高まるように、薬剤タンク２それ自体は実質的に変形しないように形成されている。
【００１１】
薬剤タンク２の薬剤補充用口部１０は、その周壁１１に螺合するキャップ１２によって、開閉自在となっている。
【００１２】
キャップ１２には、薬剤を吐出するための薬剤吐出口５が下方に突出するように設けられている。薬剤タンク２はこの薬剤吐出口５でのみ外部と連通している。薬剤Ａが薬剤吐出口５から自然に滴下し続けて不要に消費されることのないように、薬剤Ａが薬剤吐出口５上に表面張力で、あるいは薬剤タンク２内の負圧で留まるようにするため、薬剤吐出口５の開口面積は薬剤の性質に応じて適宜定める。
【００１３】
この薬剤吐出容器１００の使用方法としては、薬剤Ａが薬剤タンク２に充填されている状態において、薬剤吐出容器１００を、まず水洗トイレの手洗い付きロータンクの手洗い部２０に載置する。この場合、貯水タンク１の注入口３がカランの下に位置し、また薬剤吐出口５が、手洗い部２０に開口しているロータンクの給水口２１にはまるようにする（図１（ａ））。
【００１４】
カランから水Ｗが矢印のように注水されると、水は排水口４から排水されながらも、貯水タンク１内に貯水されていく（図１（ａ））。貯水タンク１内に貯水された水の重さにより弾性部６は次第に変形し、貯水タンク１における貯水量が一定量を超えると、弾性部６は図１（ｂ）のように押しつぶされ、薬剤タンク２の内圧が高められ、薬剤吐出口５から薬剤Ａが吐出される。吐出された薬剤Ａは給水口２１からロータンク内に入る。カランからの注水が止まると、貯水タンク１内に貯水されていた水Ｗは排水口４から流出し、貯水タンク１が弾性部６を押す力が弱くなり、弾性部６は元の形状に回復する。このとき、薬剤タンク２内は負圧になるので、空気が矢印Ｂのように、薬剤吐出口５から薬剤タンク２内に入り、薬剤タンク２内は常圧に戻るか、あるいは弱い負圧状態に保たれる（図１（ｃ））。以降、カランから注水されるたびにこの作用が繰り返され、薬剤Ａが一定量ずつロータンク内に滴下されることとなる。
【００１５】
このように、この薬剤吐出容器１００によれば、フロート弁等の弁体を使用することなくカランからの注水を利用し、単純な機構で簡便に薬剤をロータンク内に一定量ずつ滴下することができる。また、ロータンク内に薬剤Ａを直接滴下するので、手洗い部２０を薬剤Ａで汚すことがない。
【００１６】
薬剤タンク２内への薬剤Ａの補充は、キャップ１２を薬剤補充用口部１０から外し、大きく開口した薬剤補充用口部１０から薬剤Ａを充填すればよいので、薬剤Ａをこぼすことなく、容易に補充できる。
【００１７】
薬剤吐出容器１００を構成する貯水タンク１や薬剤タンク２はプラスチック成型体を構成部材として容易に製造することができる。例えば、図３に示すように、貯水タンク１の底部材１４と側壁部材１５、薬剤タンク２、キャップ１２をそれぞれ所定形状にプラスチック成型し、まず、底部材１４と側壁部材１５とを融着または接着することにより貯水タンク１を形成し、キャップ１２を薬剤タンク２の薬剤補充用口部１０に螺着し、薬剤タンク２の頂部に弾性部６をはめ、その上に貯水タンク１を重ねて置くだけで容易に薬剤吐出容器１００を製造することができる。
【００１８】
図５は、本発明の異なる態様の薬剤吐出容器１０１の斜視図（同図（ａ））と側面図（同図（ｂ））、図４はその薬剤吐出容器１０１の作用を示す断面図、図６は薬剤液吐出容器１０１の構成部品の斜視図である。
【００１９】
前述の薬剤吐出容器１００では貯水タンク１が、底部材１４と側壁部材１５の二部材から構成されていたのに対し、この薬剤吐出容器１０１では、底部兼側壁部材１６の単一部材から構成され、より少ない部品点数で容易に製造できるようになっている。
【００２０】
また、貯水タンク１の注入口３の口径Ｌ１が貯水タンク１の底部径Ｌ２よりも大きい（図４（ａ））。したがって、貯水タンク１での貯水量を一定とした場合に、貯水タンク１で必要とされる水深を浅くすることができ、したがって貯水タンク１の高さを低く設定することができる。よって、水洗トイレの手洗い部２０に薬剤吐出容器１０１を載置した場合の、カラン２２と薬剤吐出容器１０１との距離Ｌ３を大きくあけることが可能となり、手洗いがやりやすくなる。
【００２１】
また、貯水タンク１の注入口３の口径Ｌ１を大きくすることにより、注入口３ではカラン２２から注水された水を受けやすくなるので、薬剤吐出容器１０１の手洗い部２０における載置場所に関し、カラン２２の位置に対するずれをより多く許容できるようになる。なお、本発明の薬剤吐出容器において注入口３にカラン２２から注水される水が入らない場合には、貯水タンク１を直接手で押すことにより弾性部６を変形させ、薬剤Ａを吐出させてもよい。
【００２２】
薬剤吐出容器１０１が薬剤Ａを薬剤タンク２から吐出する機構は、前述の薬剤吐出容器１００と同様であり、カラン２２から注水されると貯水タンク１に水Ｗが貯水され（図４（ａ））、弾性部６の変形により薬剤タンク２内の薬剤Ａが薬剤排出口５から吐出され（図４（ｂ））、カランからの注水が止まることにより貯水タンク１に貯まっていた水が排出され、弾性部６が元の形状に復帰し、また、薬剤排出口５から空気が薬剤タンク２内に入り、薬剤タンク２は内部が常圧に戻るか、あるいは弱い負圧状態に維持される。
【００２３】
図７は、さらに異なる本発明の薬剤吐出容器１０２の側面図である。この薬剤吐出容器１０２は、図４〜図６の薬剤吐出容器１０１において足１３を長く形成し、薬剤吐出容器１０２を任意の平面上に載置した場合に、薬剤タンク２のキャップ１２の底部で下方に突出するように設けられた薬剤吐出口５が平面につかないようにしたものである。このように足１３を長くすることにより、水洗トイレの手洗い部２０に薬剤吐出容器１０２を載置する場合に、薬剤吐出口５をロータンクの給水口２１に合わせて置くことが不要となり、手洗い部２０においてカラン２２の真下にロータンクの給水口２１が設けられていない場合でも、カランからの注水により薬剤を吐出させることが可能となる。なお、足１３を長く形成する場合に、必ずしも当初から薬剤吐出口５の突出した長さよりも足１３を長く形成する必要はなく、当該薬剤吐出容器１０１を載置する水洗トイレの手洗い部に形態に応じて、必要により薬剤吐出口５の突出部分をはさみ等で短く切ってもよい。また、足１３を長く形成し、薬剤突出口５の突出部分を曲げ易い形状に形成するかあるいは曲げ易い材料で形成することによっても、ロータンクの給水口２１の位置に合わせて薬剤吐出容器を置くことが不要となる。
【００２４】
図８は、図１〜図３の薬剤吐出容器１００において、薬剤補充用口部１０のキャップ１２にプッシュプル機構１７を設け、薬剤タンク２に直接足１３を設けた薬剤吐出容器１０３の断面図である。この薬剤吐出容器１０３によれば、製品を製造後、消費者が使用を開始するまでの非使用時には、同図（ａ）のようにプッシュプル機構１７で薬剤吐出口５を閉じて薬剤Ａの漏出を防止し、手洗い部２０で消費者が使用を開示するときには同図（ｂ）のように薬剤吐出口５を開け、薬剤Ａの吐出を可能とすることができる。
【００２５】
薬剤吐出口５の開閉機構としては、プッシュプル機構１７に代えて、ターレット式、ヒンジキャップ式、ニードル式等の公知の開閉機構を設けてもよい。
【００２６】
この他、本発明は種々の態様をとることができる。例えば、薬剤補充用口部１０は、開閉可能に形成する限り、薬剤タンク２の側面に設けてもよい。
【００２７】
また、貯水タンク１は、カランからの注水により貯水でき、その注水が止まることにより貯水した水を排出できる限り、それ自体の形状に特に制限はない。
【００２８】
弾性部６としては、押圧力の増大により変形し、押圧力の減少により復元する限り、ドーム状のゴム部材の他に種々の弾性部材を使用することができる。例えば、プラスチック製の蛇腹、金属製コイルバネ等を用いてもよい。
【００２９】
【発明の効果】
本発明の薬剤吐出容器は、製造コストのかからない比較的単純な構造で、安定的に薬剤を定量吐出できる。また、薬剤の補充も容易である。
【図面の簡単な説明】
【図１】  本発明の薬剤吐出容器の作用を示す断面図である。
【図２】  本発明の薬剤吐出容器の斜視図である。
【図３】  本発明の薬剤吐出容器の構成部品の斜視図である。
【図４】  本発明の薬剤吐出容器の作用を示す断面図である。
【図５】  本発明の薬剤吐出容器の斜視図（同図（ａ））及び側面図（同図（ｂ））である。
【図６】  本発明の薬剤吐出容器の構成部品の斜視図である。
【図７】  本発明の薬剤吐出容器の側面図である。
【図８】  本発明の薬剤吐出容器の作用を示す断面図である。
【符号の説明】
１  貯水タンク
２  薬剤タンク
３  注入口
４  排水口
５  薬剤吐出口
６  弾性部
１０  薬剤補充用口部
１１  口部の周壁
１２  キャップ
１３  足
１４  貯水タンクの底部材
１５  貯水タンクの側壁部材
１６  貯水タンクの底部兼側壁部材
１７  プッシュプル機構
２０  手洗い部
２１  ロータンクの給水口
２２  カラン
１００、１０１、１０２、１０３  薬剤吐出容器
Ａ  薬剤
【図１】
0004553086.tif 000002
【図２】
0004553086.tif 000003
【図３】
0004553086.tif 000004
【図４】
0004553086.tif 000005
【図５】
0004553086.tif 000006
【図６】
0004553086.tif 000007
【図７】
0004553086.tif 000008
【図８】
0004553086.tif 000009